Podtech/llm-jp-corpus-v4-ja_patent huggingface dataset:
(57)【要約】      （修正有）【課題】磁石を使って他の物質を分離したり空中にぶら下げたり非接触で搬送したりする基本装置の発明に関するもので、医学分野の細胞レベルの治療や工学分野の新しい物質製造等への応用にもなるものである。【解決手段】中空磁石１を使って、磁化されない物質でできた非磁性隔壁２を隔てて置いてある磁化されやすい磁性物質３の集まりの動きを制御する装置である。この中空磁石１を左右に微妙に動かすことで、ほぼ均等に離散させて非接触的に吊り下げたりその一部を移動させたりすることができる。【選択図】図１
2004154501.tif 000002
【特許請求の範囲】
【請求項１】
中空磁石を使って磁性を帯させた物質を非接触的に均等離散、リフト、搬送させる装置
【請求項２】
本装置を活用した全ての応用装置および製造物
【発明の詳細な説明】
【０００１】
【発明の属する技術分野】
この発明は、電気、中でも磁気分野のもので、磁界を使って、他の物質を分離したり空中にぶら下げたり非接触で搬送したりする基本装置の発明に関するもので、医学分野の細胞レベルの治療や工学分野の新しい物質製造等への応用になるものである。
【０００２】
【従来の技術】
従来，磁石で磁化した物質を吊り下げるのはその物質が一塊の時だけで、幾つかの塊をほぼ均等に離散させたり非接触的に吊り下げたり、さらにその一部を移動させたりすることは困難であった。そのために医学分野の細胞レベルの治療や工学分野の新しい物質製造等の応用に限界があった。
【０００３】
【発明が解決しようとする課題】
中空磁石を使って磁性を帯させた物質を非接触的に均等離散、リフト、搬送させること。
【０００４】
【課題を解決するための手段】
磁石、中でもドーナツに代表されるように形状は問わないが中に穴の開いた中空磁石（１）を微妙に左右に動かしながら使う装置である。また中空磁石（１）による制御は、同じ形状の磁界のできる電磁石の電流変化等を利用することも可能である。
【０００５】
【発明実施の形態】
中空磁石（１）を使って、磁化されない物質でできた非磁性隔壁（２）を隔てて置いてあるスチールボールなどの磁化されやすい磁性物質（３）の集まりの動きを制御する装置である。この中空磁石（１）を左右に微妙に動かすことで、［図１］のようにほぼ均等に離散させて非接触的に吊り下げたりその一部を移動させたりするものである。
【０００６】
【発明の効果】
本装置により、磁化されやすい物質が一塊であれば、幾つかの塊に分離したり、それらをほぼ均等に離散させ非接触的に吊り下げたり、さらにその一部を移動させたり搬送させたりすることが可能になった。そのために医学分野の細胞レベルの治療や工学分野の新しい物質製造等の応用に寄与できる。
【図面の簡単な説明】
【図１】本発明の使用正面図
【図２】本発明の使用側面図
【符号の説明】
１  中空磁石
２  非磁性隔壁
３  磁性物質
【図１】
2004154501.tif 000003
【図２】
2004154501.tif 000004
(57)【要約】【目的】自動車を運転して仕事やレジャーの途中で設備のない所でも用便が出来る。【構成】自動車内用携行便器５の上げ底箱形の蓋１の中に自動車の運転補助席を平にする為に元厚で先薄形のマツト３．３と同形の大形のマツト４を適宜に敷く為に入れて置く。又，下部の自動車内用携行便器５の内部にスポンジ６を内張して低部の中央部に電動のバイブレター８を設置，その中に便槽７に蓋１０のある，便座９を載せたのを入れる，尚便座９の蓋１０には消臭剤用の空洞１９と通気口の２０が有る。又便槽７の低部ににバイブレター８の振動吸収の波紋状装置が有る。構造の，自動車内用携行便器。【選択図】    図１
2004154504.tif 000002
【特許請求の範囲】
【請求項１】
〔イ〕自動車内用携行便器５の上げ底箱形の蓋１の，其の蓋２を開けて中に自動車の運転補助席を平になる様に敷く為の元厚で先薄形のマツト３．３と同形の大形マツト４を入れる。
次に自動車内用携行便器５の中にスポンジ６を内張し低部の中央部にバイブレター８を設置し固定用のマジツク止め付きベルトの１２．１２を設け前部に重し１３を付けた，自動車内用携行便器５を作る。
〔ロ〕便槽の７には便座の９が有り其の蓋の１０には消臭剤の入る空洞１９と通気口２０があり又ツマミ１１は貫通したネジ込式で其の穴から消臭剤を入れる。尚便座９には下部に便槽７の拡張防止用の逆さ溝の１８．１８と低部にバイブレター８の振動吸収の波紋状装置２１の有る便槽７を作り，〔イ〕の自動車内用携行便器５の下部に入れて，使用が出来る。
以上の様にした構造の自動車内用携行便器。
【発明の詳細な説明】
【０００１】
【発明の属する技術】
本発明は，自動車内用携行便器を自動車の運転補助席に固定して使用する事の出来る自動車内用携行便器に，関するものである。
【０００２】
【従来の技術】
従来一般的な自動車には便器などの装備などは無く許容スペースからも，無理である，いわゆるキヤンピングカーなどは製作の当初から設計して装備するから，極めて高価である。
其の為に，一般的な自動車に於いては，どうしても用便を必要な時には，何処かの売店にでも入つて，借りる外はなく其の様な時には大変，辛い思いをするので不便である。
【０００３】
【発明が解決しようとする課題】
一般に自動車を運転して走行する時には，あらかじめ自分の会社迄は，何時何分頃には着くとか，およそ分つていて余り気にはしないが，しかし友人とか家族などを乗せてレジャーなどの途中で突然の事故とか連休中の自動車の渋滞などに出会うと，困惑するのである特に有料道路では行く事も出来ず，戻る事もできず，大変に厄介な問題点がある。
【０００４】
【問題を解決する為の手段】
本発明は，前記の様な課題に鑑み創出されたものであつて主として自動車の運転補助席に固定して使用する事が出来る。
自動車内用携行便器を提供するものである。
尚，携行手段は自動車のトランクに積載して必要な時に持ち出して自動車の中で，使用すれば良い。
【０００５】
【実施例】
自動車内用携行便器５の上部の上げ底箱形の蓋１．の中に今日の様な多様な車種の時代の車の運転補助席を，水平にする為の敷き用の元厚で先薄形のマツト３．３と同形の大マツト４を入れて，又その自動車内用携行便器の５には便槽７を入れるが，其の便槽の７には上に載せる便座の９が有り其の蓋１０には，消臭剤用の空洞の１９が，ある。其の消臭剤は貫通式のネジ込ツマミ１１．の穴から入れる。其の便槽７を自動車内用携帯便器の５の中に入れるが，又其の内部にはスポンジ６の内張と低部の中央部にバイブレーターを設置してある。其の自動車内用携帯便器５を運転補助席に固定するには先ず運転補助席を，平にする為に，上げ底箱形の蓋１の中の元厚で先薄形のマツト３．３と同形の大マツト４を運転補助席に適宜に敷いて平にしてから其の上に自動車内用携行便器５を載せて，それを固定するにはマジツク止め付ベルトの１２．１２で運転補助席の背もたれを抱く様にして締めつけ止めをする。
尚，重しの１３．は自動車内用携行便器５の前部を安定させる。
次に．使用する時は便座９．の蓋１０．をツマミの１１．で取り除いてから，バイブレーターの８．を，継続稼動しながら使用すれば薄い形に作つた，自動車内用携行便器５でも，排便は即時に沈下するので，安心して使用することが出来る。
尚，使用する前に便槽７の中にビニールの袋を，敷いて置けば後の処理が簡単に出来る。
又，其の自動車内用携行便器は前記の逆の順に納めて自動車のトランクに積載して蓋をすれば発車出来る。
【０００６】
【発明の効果】
自動車で走行の途中に，突然用便が必要に成つたり又，自動車などに依る渋滞や，事故や設備の無い海とか川でのレジャー先などでは家族や子供達にも自動車の中で用便が出来るので，心身共に大変に良い効果がある。
【図面の簡単な説明】
【図１】本発明の，自動車内用携行便器の側面一部，断面図
【図２】本発明の，自動車内用携行便器の後面一部，断面図
【図３】本発明の，自動車内用携行便器の前面一部，断面図
【図４】本発明の，自動車内用携行便器の便槽７と便座９の上面一部断面図
【符号の説明】
１    自動車内用携行便器の，上げ底箱形の，蓋
２    自動車内用携行便器の，上げ底箱形蓋，の蓋
３    元厚で先薄形の，マツト
４    元厚で先薄形の，大型マツト
５    自動車内用携行便器の，便槽７のケース
６    自動車内用携行便器５の，内張スポンジ
７    自動車内用携行便器内の，便槽
８    自動車内用携行便器５の，低部のバイブレーター
９    自動車内用携行便器内の，便槽に載せる，便座
１０    自動車内用携行便器内の，便座の，蓋
１１    自動車内用携行便器内の，便座の，蓋のツマミ
１２    自動車内用携行便器５の，固定用の，マジツク止めバンド
１３    自動車内用携行便器５の，前部の安定用の重し
１４    自動車内用携行便器５の，前部の安定用重しの，取手
１５    自動車内用携行便器５の，前部の安定脚，謙，重しケース
１６    自動車内用携行便器５の，携行，手提げベルト
１７    自動車内用携行便器５の，バイブレータ８の電導線
１８    自動車内用携行便器内の，便槽７の拡張止めの，逆さ溝
１９    自動車内用携行便器内の，便座の蓋１０の空洞
２０    自動車内用携行便器内の，便座の蓋の，通気口
２１    自動車内用携行便器内の，バイブレーターの振動吸収用の波紋状，装置
【図１】
2004154504.tif 000003
【図２】
2004154504.tif 000004
【図３】
2004154504.tif 000005
【図４】
2004154504.tif 000006
(57)【要約】      （修正有）【課題】洗浄する瓶等容器の形状に関係無く、簡単に完全に洗浄出来て、収納も場所をとらない瓶洗浄用ブラシを提供する。【解決手段】クサリ１の一端にスポンジ２とブラシ３を設けた事を特徴とする。【選択図】    図１
2004154505.tif 000002
【特許請求の範囲】
【請求項１】
クサリ（１）の一端に、スポンジ（２）とブラシ（３）を設けた瓶洗浄用ブラシ。
【発明の詳細な説明】
【０００１】
【発明の属する技術分野】
この発明は、瓶等容器の内面を洗浄するブラシに関するものである。
【０００２】
【従来の技術】
従来より瓶等の容器内を洗浄するブラシは、直線的棒状である。
【０００３】
【発明が解決しようとする課題】
これは次のような欠点があった。
洗浄を必要とする瓶の形状は多種類であるが、ブラシが直線的棒状であるため、口径が小さく内径が大きい、又はブラシの全長より瓶が長く大きい等、瓶の形状によりブラシが内面に接触不可能な部分があり、付着している汚れを完全に除去する事が困難、或いは不可能なことが多い。従って洗浄を繰り返し長く使用する瓶など容器は非常に不潔になる。
本発明は以上の欠点を解決するためになされたものである。
【０００４】
【課題を解決するための手段】
クサリ（１）の一端にスポンジ（２）とブラシ（３）を設けていて、クサリ（１）はスポンジ（２）の中心を貫通してブラシ（３）の芯金に連結している。本発明は以上の構成によりなる瓶洗浄用ブラシである。
【０００５】
【発明実施の形態】
以下、発明実施の形態を説明する。
（イ）クサリ（１）の一端に設けたスポンジ（２）に洗剤液を１〜２滴含ませ、極少量の水と共にブラシ全体を瓶内に投入して開口部を蓋し、瓶を上下左右と多方向に少し強く振り動かす。
（ロ）瓶を多方向に振り動かす事により、ブラシ全体が瓶内で自在に転動して内面全体に強く接触し擦る。この時スポンジ（２）に含ませた洗剤液も放出され効果を増す。
（ハ）付着した汚れが内面から完全に除去できれば、開口部の蓋を除いて下方に向ければ、クサリ（１）は自重で開口部より垂れ出るから、これを引っ張れば全体を引き出せる。
（ニ）ブラシ全体を取り出した後は水ですすぐ。
（ホ）瓶の形状が特に大きい場合は、本発明を接続具を介して複数個接続して使用すれば洗浄は容易になる。
【０００６】
【発明の効果】
本発明を使用する事によって、洗浄をする瓶等の容器はその形状に関係なく、少量の洗剤液と簡単な方法で完全に汚れを除去する。又スポンジ（２）は、ブラシ（３）の上部に突出している芯金を覆っているため、容器内でブラシ（１）が激しく転動するとき、芯金が内面に直接強く接触することを防ぎ、且つ汚れを除去する役目もする。従って洗浄を繰り返し長く使用する瓶は、常に清潔を維持することが出来る。又ブラシ全体が小さくまとめられるから、収納や輸送にも場所をとらず、折れたり曲がったりすることがないため破損の心配は無い。
【図面の簡単な説明】
【１図】本考案の正面図
【２図】本発明の使用状態を示す瓶の断面図
【符号の説明】
１  クサリ
２  スポンジ
３  ブラシ
４  瓶
【図１】
2004154505.tif 000003
【図２】
2004154505.tif 000004
(57)【要約】【課題】従来のしょうゆ差しは、容器をかたむけることで、注ぎ口よりしょうゆを注いでいたが、注ぎ口に残ったしょうゆがたれて、容器やテーブルを汚したり、結晶化して、注ぎ口が目詰まりしたりすることがあった。【解決手段】しょうゆ壷としょうゆ差しの二つの部分にわけ、使わないときは、しょうゆ壷のしょうゆの中にしょうゆ差しをつけておくため、塩分の結晶化を防ぎ、目詰まりすることもなく、外部が汚れることもなく、テーブルも汚れない。【選択図】  図１
2004154510.tif 000002
【特許請求の範囲】
【請求項１】
しょうゆ壺と実際にしょうゆをたらす、しょうゆ差しの２つのパートからなる。
【請求項２】
しょうゆ差しは空気圧を利用し、空気穴を抑えたり、はずしたりすることで、しょうゆを出したり止めたりする。
【発明の詳細な説明】
【０００１】
【発明の属する技術分野】
本発明はしょうゆがたれなくするためのしょうゆ差しに関する。
【０００２】
【従来の技術】
しょうゆを上部の注ぎ穴より、本体を傾けることで、小皿へたらす。
【０００３】
【発明が解決しようとする課題】
注ぎ口に残ったしょうゆが、外側にたれて、容器の底やテーブルを汚す。
【０００４】
注ぎ口に残ったしょうゆが乾燥して、塩分が結晶化して目詰まりを起こす。
【０００５】
【課題を解決するための手段】
容器と注ぎ口を別に分け、注ぎ口を使用しないときは、しょうゆの中につけておくため、塩分が結晶化せず、目詰まりもなく、外部にたれだすこともない。
【０００６】
【発明の実施の形態】
以下、本発明の実施の形態を図１、図２に基づいて説明する。
【０００７】
図においては、図２のように入れていたしょうゆ差しの、図１の１の空気穴を指でふさいで持ち上げることで、しょうゆ差しの中にしょうゆを取り込んで、小皿等の上で、指を離すことで、中のしょうゆが図１の３より注がれる。再び空気穴をふさぐことで、しょうゆが注がれるのが止まる。
【０００８】
注ぎ終わったしょうゆ差しは、図２のようにしょうゆ壷に戻すことで、注ぎ口からしょうゆがたれたり、注ぎ口の塩分が乾燥して、結晶化することを防ぐ。
【０００９】
図２の状態では図１の２が壷のふたとなり、ほこり等が入るのを防ぐ。
【００１０】
【発明の効果】
上述したように、本発明のしょうゆ差しは、しょうゆが注ぎ口からたれて、テーブル等を汚したり、目詰まりしたりするのを防ぐことができ、たれないしょうゆ差しを提供できる。また、これは油やお酢等、液体調味料にも利用できる。
【図面の簡単な説明】
【図１】しょうゆ差し、しょうゆ壷の断面図
【図２】しょうゆ差しをしょうゆ壷に入れた状態の断面図
【符号の説明】
１  空気穴
２  壷のふた
３  しょうゆ注ぎ口
４  しょうゆ想像線
【図１】
2004154510.tif 000003
【図２】
2004154510.tif 000004
(57)【要約】【課題】腰にバックをつけただけで、中の荷物が、運動などにより、体が大きく揺れても安定するバックを提供する。【解決手段】バックを腰につけたと同時に、中の荷物が圧縮されるように、腰ベルト（１）をバック本体につけたことを特徴とする。【選択図】  図１
2004154528.tif 000002
【特許請求の範囲】
【請求項１】
バックを腰につけたと同時に、中の荷物が圧縮されるように、腰ベルト（１）をバック本体につけた構成からなる、腰につけただけで荷物が安定するバック。
【発明の詳細な説明】
【０００１】
【発明の属する技術分野】
この発明は、腰にバックをつけただけで、中の荷物が運動などにより体が大きく揺れても安定するバックに関するものである。
【０００２】
【従来の技術】
従来の腰につけるバックは、図２（ａ、ｂ、ｃ）が示すように、バックの中に荷物を入れると、荷物がバックの下の方に寄ってしまい、重く感じたり、走るなどの運動をすると、中の荷物が大きく揺れてしまっていた。
そこで従来の技術では、図３（ａ、ｂ、ｃ）が示すように、圧縮用締ベルト（７）を設け、それを締めることにより、中の荷物を圧縮し、安定させていた。
【０００３】
【発明が解決しようとする課題】
そのために、次のような欠点があった。
（イ）腰にバックをつけた後、荷物を安定させるために、圧縮用締ベルト（７）で、圧縮させなければならなかった。
（ロ）バックが大きくなると、荷物を安定させるのに、複数本の圧縮用締ベルト（７）が必要になるため、作る上でも、使う上でも、複雑になってしまっていた。
（ハ）圧縮用締ベルト（７）が、体に触れて気になったり、物にひっかかる危険があった。
本発明は、これらの欠点を解決するためになされたものである。
【０００４】
【課題を解決するための手段】
バックを腰につけたと同時に、中の荷物が圧縮されるように、腰ベルト（１）をバック本体につける。本発明は、以上の構成からなる腰につけただけで、荷物が安定するバックである。
【０００５】
【発明の実施の形態】
以下、本発明の実施の形態を説明する。
（イ）適当な大きさの背面パット（３）の外周（８）に、主袋（２）の２つの長辺（９）を縫いつける。この外周（８）の長さと、２つの長辺（９）の合計の長さは、同じである。
（ロ）主袋（２）の２つの短辺（１０）が、それぞれ折れ曲がるので、その短辺（１０）を、縫い合わせる。
（ハ）短辺（１０）が折れ曲がった所に、腰ベルト（１）の末端を縫いつける。もう一方の短辺（１０）も、同様にする。
本発明は、以上のような構造で、これを使用するときは、バックに荷物を入れ、腰に背面パット（３）を合わせ、腰ベルト（１）を腰まわりに、まわしつける。腰ベルト（１）を締めると同時に、主袋（２）の布地全体が、腰の方に引きつけられるので、中の荷物が圧縮され、安定する。
【０００６】
本発明の実施の形態では、背面パット（３）を、楕円、主袋（２）を長方形の一枚布地としたが、背面パット（３）を多角形にしたり、主袋（２）を、複数枚の布地を使い、他の形で実施することもできる。
【０００７】
本発明の実施の形態では、腰につけるバックを例に説明したが、図５の示すように、登山用などのリュックサックでも実施できる。
【０００８】
【発明の効果】
（イ）腰ベルト（１）を締めると同時に、中の荷物も圧縮され、安定するので、だれでも、簡単に、使うことができる。
（ロ）主袋（２）の布地全体で、包み込むように圧縮するので、一部が強く圧縮されることがなく、荷物が安定する。
（ハ）圧縮用締ベルト（７）が必要なくなったので、
・縫い目が少なくなり、ほつれなどの縫い目の故障が減った。
・縫製が簡素化した。
・バック自体が軽量化した。
・圧縮用締ベルト（７）が、体に触れて気になったり、物にひっかかる危険がなくなった。
・シンプルな構造になり、見た目の印象がよくなり、大変使い易くなった。
以上のような発明の効果が得られた。
【図面の簡単な説明】
【図１】本発明の図
（ａ）は、斜視図。（ｂ）は、使用中の側面図。
【図２】従来の腰につけるバック
（ａ）は、斜視図。（ｂ）は、使用中の側面図。（ｃ）は、バックの中に荷物を入れた状態の側面図。
【図３】従来の技術の腰につけるバック
（ａ）は、斜視図。（ｂ）は、使用中の側面図。（ｃ）は、圧縮用締ベルト（７）を使って、圧縮させた状態の側面図。
【図４】本発明の分解図
【図５】本発明の他の実施例図
【符号の説明】
（１）腰ベルト
（２）主袋
（３）背面パット
（４）ファスナー
（５）身体
（６）荷物
（７）圧縮用締ベルト
（８）外周
（９）長辺
（１０）短辺
（１１）肩ベルト
【図１】
2004154528.tif 000003
【図２】
2004154528.tif 000004
【図３】
2004154528.tif 000005
【図４】
2004154528.tif 000006
【図５】
2004154528.tif 000007
(57)【要約】【課題】歯科分野で補綴物作成の為にワックス・パターンの埋没作業は常時行なわれている。方法として埋没材と水の攪拌は真空中で行なわれるが、埋没は真空を解除して大気圧中で行なうのが一般的である。その際注意して埋没を行なっても気泡を完全に取り除くのは難しく、欠陥鋳造物となりやすい。【解決手段】そのために図１のように埋没リングを格納し密閉出来る下部空間（２）と埋没材と水を混和する為の回転翼を蓋に設け密閉出来る上部空間（１）とが穴を介して結ばれ、その穴を開閉出来る開閉弁（６）を設け、下部空間（２）と上部空間（１）を連通し内部を吸引真空に出来るようにした構造の歯科用真空埋没器を発明した。【選択図】  図１
2004154527.tif 000002
【特許請求の範囲】
【請求項１】
砂時計の形をした側壁（１０）の上縁に蓋（３）を下縁には土台（４）をそれぞれが密閉出来るよう設け、蓋（３）には攪拌翼（５）を設け、土台（４）は埋没リング（９）を保持出来るような構造にし、中間の狭窄部の穴を開閉出来る弁を設け、穴より上の上部空間（１）と下の下部空間（２）を連通し、内部を真空に出来る構造の歯科用縦型真空埋没器。
【発明の詳細な説明】
【０００１】
【発明の属する技術分野】
歯科の鋳造の為の埋没に関する分野。
【０００２】
【従来の技術】
従来は鋳造目的で作られたワックス・パターンを円錐台に植立しそれに鋳造リングを取り付けた埋没の為のリング（以後埋没リング）に、埋没材と水を真空中で攪拌して出来た埋没泥を、真空を解除して大気圧中で埋没リングに流し込むのが一般に行なわれている埋没方法である。
【０００３】
【発明が解決しようとする課題】
その埋没法の欠点は埋没泥を埋没リング（９）に流し込む際ワックス・パターン表面と埋没泥との間の空気を排除仕切れないため残留空気が気泡となり鋳造体表面にこぶ状の突起が出来易く鋳造体欠陥となることがあることである。
【０００４】
【課題を解決しようとする手段】
真空中で埋没リング（９）に埋没泥を流し込むと真空度のレベルによりワックス・パターン表面の空気は希薄になり気泡の少ないより精密な鋳造体が可能となる。
【０００５】
【発明の実施の形態】
図１のように砂時計の形をした側壁（１０）の上縁に蓋（３）を下縁には土台（４）をそれぞれが密閉出来るよう設け、蓋（３）には攪拌翼（５）を設け、土台（４）は埋没リング（９）を保持出来るような構造にし、中間の狭窄部の上下に通ずる穴を開閉出来る弁を設け、穴より上の上部空間（１）と下の下部空間（２）を連通し、内部を真空に出来る構造の歯科用真空埋没器である。
【０００６】
上部空間（１）はパッキングを設けて気密を保てるような蓋（３）を有し、蓋（３）に攪拌翼（５）を設ける。攪拌は手動でもモーターを利用してもよく、攪拌翼（５）の回転数を上げるためにギヤーを利用するのも良い。
【０００７】
上部空間（１）と下部空間（２）の間の狭窄部分の穴は直径が７ｍｍ以上が良くこの穴を開閉出来る開閉弁（６）を設け、埋没泥が流れ落ちる量を加減できる構造にする。
【０００８】
土台（４）と側壁（１０）を連結するためにバネ等を利用した固定具（７）を設け、パッキングを設けて気密を保てるようにする。側壁（１０）には吸引の為の配管用継手を設ける。  下部空間（２）内にセットされる埋没リング（９）が移動し不安定にならないように土台（４）に磁石やバネ等を設けて保持出来るようにするのが良い。
【０００９】
上部空間（１）と下部空間（２）の内部圧差が生じると埋没泥の流れを変化させるために両者の内圧差を無くする必要がある。そのために両者を連通する連通管（８）を設ける。
【００１０】
歯科用真空埋没器を構成する材料は透明性があり耐久性のあるものが良い。透明性があると埋没泥が埋没リングに流れこむ状態を目で確認出来、的確な操作を行なうことが出来る。
【００１１】
上部空間（１）の側壁（１０）は下部空間（２）の側壁（１０）に対してやや傾きをもつ構造でも良い。その場合上部空間（１）の底面も傾き、穴は中央でなく最下部に設け、下部空間（２）のほぼ中心に位置する。
【発明の効果】
これにより埋没は最後迄真空状態で行なえ、そのためにワックス・パターンの表面と埋没材の間の空気が希薄になり気泡の少ないより精密な鋳造物を作ることが出来る。
【図面の簡単な説明】
【図１】本発明の断面図である。
【符号の説明】
１  上部空間
２  下部空間
３  蓋
４  土台
５  攪拌翼
６  開閉弁
７  固定具
８  連通管
９  埋没リング
１０  側壁
【図１】
2004154527.tif 000003
(57)【要約】【課題】従来の生理用品に、吸収体をつなげた生理用品を提供する。【解決手段】生理用品本体（１）の後方にＶ型吸収体（２）を接続ひも（３）でつなげたことを特徴とする。【選択図】  図１
2004154524.tif 000002
【特許請求の範囲】
【請求項１】
生理用品本体の後方に、Ｖ型吸収体を接続ひもでつないだ生理用品。
【発明の詳細な説明】
【０００１】
【発明の属する技術分野】
この発明は、従来の生理用品に吸収体をひもでつないだ衛生用品に関するものである。
【０００２】
【従来の技術】
従来、生理用品本体を長く、広くしたものがあった。
【０００３】
【発明が解決しようとする課題】
これは次のような欠点があった。
（イ）  生理用品を長く、広くしても血液は、おしりの溝を伝って後ろにもれてしまった。
（ロ）  おしりに貼りついて、むれることがあった。
（ハ）  長いサイズを使用すると、生理用品の形が衣服にうつってしまうことがあった。
（ニ）  就寝時の動きで、生理用品が体からずれて、もれてしまうことがあった。
本発明は、これらの欠点を除くためになされたものである。
【０００４】
【課題を解決するための手段】
生理用品本体（１）の後方と、Ｖ型吸収体（２）を、接続ひも（３）でつなぐ。本発明は、以上のような構成よりなる生理用品である。
【０００５】
【発明の実施の形態】
以下、本発明の実施例について説明する。
（イ）  生理用品本体（１）の後方に、吸収体（２）を接続ひも（３）でつなぐ。
（ロ）  吸収体（２）はＶ型につくり、そのＶの折り山の中央と、生理用品本体（１）の後方（肛門があたるくらいの位置）とを、接続ひも（３）でつなぐ。
本発明は、以上のような構造で、これを使用するときは、従来通り生理用品本体（１）をショーツにつけ、はいた後、Ｖ型吸収体（２）の折り山（４）の部分が体の方に向くようにあて、しっかりとはさむ。
短いサイズの生理用品でも有効だが、長いサイズ、はね、サイドガード付きの生理用品に装着しても、同じ効果が表れる。
【０００６】
【発明の効果】
Ｖ型吸収体を、おしりの溝にはさむことによって、血液の流れを確実に止めることができ昼夜問わず、もれや、ずれの不安から解放され、きわめて効果的である。
【図面の簡単な説明】
【図１】本発明の正面図である。
【図２】本発明の実施例を示す図である。
【符号の説明】
１  生理用品本体
２  吸収体
３  接続ひも
４  折り山
【図１】
2004154524.tif 000003
【図２】
2004154524.tif 000004
(57)【要約】【課題】大型店舗等で買物客が商品を入れて運搬する手提げ篭において、握り部分を安定化して使用感を向上させ、疲労やストレスを軽減できるようなぐらつかない把手を提供する。【解決手段】買物客が購入品を入れて運ぶ手提げ篭の上縁部に有する回転軸１を介して取り付ける一対の略コ字形把手２において、把握時に一対の両者が平行状に近接し接触する接触部を面状接触にするとともに、その接触面が水平方向及び垂直方向ともに蛇行状を呈するようにする。また同じ一対の略コ字形把手２において、把握時に一対の両者が平行状に近接し接触する接触部を面状接触にするとともに、その接触面が垂直方向において蛇行状、ジグザグ状、歯車状のいずれかを呈するようにする。【選択図】図２
2004154526.tif 000002
【特許請求の範囲】
【請求項１】
買物客が購入品を入れて運ぶ手提げ篭の上縁部に有する回転軸１を介して取り付ける一対の略コ字形把手２において、把握時に一対の両者が平行状に近接し接触する接触部を面状接触にするとともに、その接触面が水平方向及び垂直方向ともに蛇行状を呈するようにしたことを特徴とする手提げ篭の把手。
【請求項２】
買物客が購入品を入れて運ぶ手提げ篭の上縁部に有する回転軸１を介して取り付ける一対の略コ字形把手２において、把握時に一対の両者が平行状に近接し接触する接触部を面状接触にするとともに、その接触面が垂直方向において蛇行状、ジグザグ状、歯車状のいずれかを呈することを特徴とする手提げ篭の把手。
【発明の詳細な説明】
【０００１】
【発明の属する技術分野】
この発明は、買い物客がスーパーマーケットやコンビニエンスストアなどで購入する商品を入れて運ぶときに使う手提げ篭（バスケット）の把手（把握部）に関するものである。
【０００２】
【従来の技術】
スーパーマーケットなど大型店舗で食品等を購入する際、購入者は店内に置かれている直方体の手提げ篭（バスケット）に購入商品を入れてレジまで運んでいるのが通例である。この手提げ篭は今日では実によく知られているもので、ほとんど規格化された独特の寸法及び形状をなしており、いずれも篭本体には多数の空隙孔が形成され、その上縁部において設けられた回転軸を介して略コ字形の把手が回動状に装着されたプラスチック成形物より成っている。
【０００３】
そしてその把手は、非使用時には回転軸を支点にして両横に回すことにより、篭本体の上縁の上に寝かせることができ、使用時にはこれを起こして９０度以上回すと、一対の把手は互いに屋根のような形で最上部で平行直線状に近接し、支え合う形となる。そしてその近接部は単一もしくは複数の円棒が融合した直棒状となっているから、互いの接触部は線状接触状態となっている。
【０００４】
【発明が解決しようとする課題】
上記のように在来の買物用手提げ篭は、商品を入れて運ぶ際に手で握る把手の部分が２本の直棒を互いにくっつけて線接触させたような形態になっており、使用者は少量の商品を短時間運ぶような場合はさほど苦にならないにしても、商品が増え、或いは時間や頻度が増したり困難な状況になるにつれて、握り部分の不安定さが気になったり、握りづらいために余計な疲労やストレスを感じる原因ともなっていた。
【０００５】
本発明はかかる現状から、使用者にとって商品運搬のストレスとなるような要因をできるだけ排除し、買物をより快適にできるようにすることを課題とする。
【０００６】
【課題を解決するための手段】
買物客が購入品を入れて運ぶ手提げ篭Ａの上縁部に有する回転軸１を介して取り付ける一対の略コ字形把手２において、把握時に一対の両者が平行状に近接し接触する接触部を面状接触にするとともに、その接触面が水平方向及び垂直方向ともに蛇行状を呈するようにする。
【０００７】
図１及び図２はその典型的な形態であって、図１は篭全体ごと上方から、図２は側方から見ている。本発明における「蛇行」とは、このように緩やかなＳ状ないし波状であることを意味し、その波も１サイクルで十分であって、必要以上に多く、或いは急勾配にするに及ばないが、握り箇所である上方の水平直棒部においては、その内側面（もう片方との面状接触部）は、上下方向及び水平方向ともに蛇行するように形成されている。
【０００８】
なお蛇行のサイクルを多めにするか或いはジクザグ（図３）または歯車状のように急勾配にした場合は、それを垂直方向にのみ形成してもよい。但しこの場合は使用感に若干の難点があり、また一対の把手の横方向に対するずれを防ぐ力が不十分ということになる。
【０００９】
【作用】
上記のように買物用手提げ篭Ａの一対の略コ字形把手２の握り部分が、上下方向及び水平方向ともにその面状接触部分において蛇行するように形成されていると、買物客がその部分を手で保持して運搬・使用する場合、たとえ手提げ篭Ａ中に多くの商品が偏った状態で収容され、それにより多少の無理なずれの力が働いても、一対の把手の面状の接触面における起伏がそのずれ移動を妨げるから、握り部分にはぐらつき現象を生じることがなく、従って使用者は余分な力学的負担を感じることがないから、心理的にも好適なものとなる。
【００１０】
【発明の実施の形態】
スーパーマーケットで広範に使われている買物客用バスケットと基本的に同形同大のポリプロピレン製手提げ篭Ａに回転軸１を介して取り付けられる一対の略コ字形把手２の握り部分において、それぞれの該把手は共に直棒状であるものの円棒状ではなく、断面は半円状に近く両者を向かい合わせたとき接合部が緩やかなＳ字状を呈するように一体化する面状接合面を形成させる。またその面状接合面は、長さ（水平）方向においてその太さの範囲内で緩やかに略Ｓ字状に蛇行させる。試作品によれば、握り部分の使い心地が甚だ良く、偏った重量物を入れてもその部分がぐらついたり移動することがなく、手が痛くなったり疲れたりしないなど、甚だ好評であった。
【００１１】
【発明の効果】
このように本発明によれば、大型店舗等で頻繁に多量の商品を入れて運搬する買物客にとって、手提げ篭の握り部分が安定してぐらつかないから、使い心地が著しく向上するとともに、余分な疲労やストレスを軽減でき、商品の逸失や損傷の機会も減るなど、様々な効果がある。
【図面の簡単な説明】
【図１】本発明を用いた手提げ篭一例の平面図
【図２】同手提げ篭一例の側面図
【図３】同手提げ篭別例の側面図
【符号の説明】
Ａ……手提げ篭
１……回転軸
２……略コ字形把手
【図１】
2004154526.tif 000003
【図２】
2004154526.tif 000004
【図３】
2004154526.tif 000005
(57)【要約】【課題】さいばし使用時、基柱が長いので、先端部で滑り落とすことなく、掴み、刺し取ることを提供することにある。【解決手段】さいばしの基柱先端部に、枝柱を複数設けることを解決手段とし、提供することにある。【選択図】    図１
2004154521.tif 000002
【特許請求の範囲】
【請求項１】
さいばしの基柱先端部に枝柱を複数設けることを特徴とする、さいばし。
【発明の詳細な説明】
【０００１】
【発明の属する技術分野】
本発明は箸に関する。
【０００２】
【従来の技術】
従来の箸は物品を掴むことについては得られる利点が多い。
【０００３】
【発明が解決しようとする課題】
しかしながら、さいばしは基柱が長いことと、先端部が２本では物品などを掴み取ることに不利がある。
【０００４】
【課題を解決するための手段】
本発明はさいばし基柱の先端部に、枝柱を複数設けて提供することで、上記課題を解決する。
【０００５】
【実施例】
本発明のさいばしは、図１に示されるように、さいばし基柱の先端部に枝柱を複数に設けることで、物品の掴み取りも２本より４本の複数に設けることで掴み取ることと、物品に刺し取るとき、複数にすることで滑り落ちない利点となる。素材は金属、木材、竹、合成樹脂が良い。
【０００６】
【発明の効果】
本発明は以上説明したように構成されるので、以下に記載されるように効果奏できる。
（イ）掴み取りが楽に出来る。
（ロ）刺し取りが滑らず楽に取れる。
【０００７】
【図面の簡単な説明】
【図１】さいばしの正面工程図である。
【符号の説明】
１  基    柱
２  枝    柱
【図１】
2004154521.tif 000003
(57)【要約】      （修正有）【課題】耳掃除を乳幼児からお年寄りまで安全に簡便に確実に耳掃除が出来る耳掃除器の提供。【解決手段】膨張収縮が可能な耳穴に挿入する部分１を耳穴に入れ、チューブ２を片方の手でささえ、もう片方の手で空気袋３を軽く押さえ、耳穴に挿入する部分１が耳穴に密着したところでチューブを引き出し、耳穴に挿入する部分１の摩擦力により耳アカを取り出す。又柔らかいチューブ２を使用することにより安全であり携帯に便利である。【選択図】図１
2004154522.tif 000002
【特許請求の範囲】
【請求項１】
耳の穴に挿入する部分を空気の移動送り込みよりふくらます事を特徴とする耳掃除器
【請求項２】
チューブの先端の耳に挿入する部分の表面は摩擦抵抗のある多孔質及びメッシュ状の物を備えたことを特徴とする請求項１記載の耳掃除器
【請求項３】
耳挿入部を空気の送り込みに依り耳穴全体に密着させることを特徴とする請求項１及び請求項２記載の耳掃除器
【請求項４】
耳挿入部に空気の送り込み用に復元力のある空気の入った袋を備えたことを特徴とする請求項１、請求項２、及び請求項３記載の耳掃除器
【発明の詳細な説明】
【０００１】
［発明の属する技術分野］
本発明は耳掃除器の挿入部分に関して安全に及び携帯に便利で安価でカラフルに出来、家庭においても使用できる
【０００２】
［従来の技術］
従来、耳掃除は綿棒、耳掻き等が用いられるが全て棒状であり危険である。
又汚れを付着せず奥へ押し込む事もある。挿入部分が堅くキズつけることもある。吸引する装置は携帯に不便で高額である。
【０００３】
［発明が解決しようとする課題］
従来の耳掻き、耳掃除器の欠点を解決しようとするもので、掻き出す方法の為、奥へ押し込む場合もあった。棒状の為人の居る近くとか乳幼児には危険である。又、片手で扱うから利き腕の反対はどうしても苦手である。携帯する場合折れたり、汚れたりして不便である。又、動力で吸い出す方法は高価で携帯に不便である。乳幼児の鼻掃除に使用する場合は鼻をかむことが出来ず親がするが急に動くので危険であった。
【０００４】
［発明が解決するための手段］
本発明は上記の課題を解決するため柔らかいチューブを使用し、耳の穴に挿入し空気袋から送り込んだ空気に依り挿入部分をふくらまし、耳の穴全体に密着させ挿入部分の表面の摩擦抵抗により耳アカ、粉等を引き出すものである。耳掃除を本人が出来ない人もこの方法だと恐がらずに出来、又は右利き、左利きの人も利き腕の反対側も容易に出来るものである。チューブであるため折れ曲がっても復元する。汚れたら洗って何度でも使用でき携帯にも便利である。又、安全な為、子供からお年寄りまで使用できる。
【０００５】
［発明の実施の形態］
本発明を実施例にしたがって詳細に説明する。
図１は全体図である。Ａ、Ｂは破断面である。チューブ２の先端の耳の穴に挿入する部分１を空気の入った空気袋３を押さえる事によりチューブ２を通って挿入部分を膨らませ耳の穴に密着させ、そのまま外に引き出すと表面が摩擦抵抗があることにより耳アカ、粉等が外に出て来るものである。
【図面の簡単な説明】
【図１】耳掃除器の全体図である
【図２】空気の送り込みの無い耳穴挿入部分の断面図である
【図３】空気の送り込まれた状態の耳穴挿入部分の断面図である
【符号の説明】
１  挿入部
２  チューブ
３  空気挿入袋
４  挿入部内空気袋
【図１】
2004154522.tif 000003
【図２】
2004154522.tif 000004
【図３】
2004154522.tif 000005
(57)【要約】      （修正有）【課題】従来、自然放置か一部燃料として燃焼されている使用済みタイヤを、再生し活用する。【解決手法】使用済みタイヤを再生加工できる寸法に微細裁断する。微細裁断した材料は、各サイズ別に分別保管する。次いで各サイズの鋼製型枠内に金網を張り付けて、その中に粉砕加工した再生品を入れ圧縮し金網を圧着加工する。更に、金網で梱包されたタイヤ粉砕品をアスファルト合剤で完全に中心まで浸透するようにしてコーティングする。【選択図】図７
2004154754.tif 000002
【特許請求の範囲】
【請求項１】
使用済みタイヤを微細切断して、圧縮し金網で梱包の上アスファルトコーテングで固形化する。
【発明の詳細な説明】
【０００１】
【発明の属する技術分野】
この発明は、タイヤの製造工程で生ゴム・布シート・鋼線を加熱圧着したもので分離・分別するのが困難なため裁断加工して、再利用するものである。
【０００２】
【従来の技術】
従来は、使用済み製品の分離・分別が困難なためそのまま自然放置か、一部燃料として燃焼されている。
【０００３】
【発明が解決しようとする課題】
これには、次ぎのような欠点があった。
（イ）自然放置（山積みにして保管している）の場所から度々自然発火及び、火災が発生している。
（ロ）燃料として燃焼させるには、有害物質が出なくなるぐらいの高温で焼却する必要があり、燃料としては使用出来にくい。
焼却処理するには、現在の焼却炉の数量では処置できないと考えられる。
本発明は、これらの欠点を除くためになされたものである。
【０００４】
【課題を解決するための手段】
（イ）タイヤ製造工程では、生ゴム・布シート・鋼線を加熱圧接しているので再生加工の段階では、分離不可能に近いので再生加工出来る寸法に圧接切断機を用いて裁断するものである。
（ロ）裁断粉砕した材料は、各サイズに分別保管する。
（ハ）市場の要求を満たす製品に加工するために、各サイズの鋼製型枠内に金網筒を張りつけて、その中に粉砕加工した再製品をいれ圧縮し金網を圧着加工する。
（ニ）金網で梱包されたタイヤ粉砕品をアスファルト合剤で完全に中心まで浸透するようにしてコーテングする。
【０００５】
【本発明の実施の形態】
（イ）大きさは、加工・使用の利便性を考慮し大きなものは１立方体から市場の要求する汎用寸法までの小さいものとする。
（ロ）立方体のものは、Ｌ型鋼・Ｈ型鋼等で組み合わせて消波ブロックや魚礁などに利用出来る。
（ハ）利用範囲は土留めブロック・家庭菜園・庭内エクテリヤ等に、必要に応じて着色使用出来るようにする。
（ニ）粉砕した微粒子は、磁気ベルトで鋼線の裁断片を取り除いて駐輪場・歩道等の軽荷重の舗装材の補助に利用出来る。
【０００６】
【発明の効果】
車輛の発達・利用法の増加により益々排出量が増大する廃棄物の利用法の一つと考えられる。
【図面の簡単な説明】
【図  １】本発明の粉砕材の油圧式圧縮装置の連結式鋼製型枠側面図。
【図  ２】本発明の粉砕材の油圧式圧縮装置の連結式鋼製型枠平面図。
【図  ３】加工品圧縮梱包用金網。
【図  ４】圧縮用鋼板（金網折り曲げ加工型）詳細図。
【図  ５】加工品梱包済み金網。
【図  ６】コーテング準備済み加工品梱包済み金網の見取図。
【図  ７】煮沸用ボイラー出アスファルトコーテング中の図。
【図１】
2004154754.tif 000003
【図２】
2004154754.tif 000004
【図３】
2004154754.tif 000005
【図４】
2004154754.tif 000006
【図５】
2004154754.tif 000007
【図６】
2004154754.tif 000008
【図７】
2004154754.tif 000009
(57)【要約】【課題】有機性廃棄物に脱水処理を行う際、加温することが必要である。しかしその熱源には燃料が多く必要となる。この負担によって有機性廃棄物の無害化処理は高コストになる。本発明はこの課題を解決するものである。【解決手段】高含水の有機性廃棄物１を減圧脱水装置２に搬入する。ここで減圧Ａを行えば脱水Ｂされる。この脱水効率を上げるために加温するのが一般的である。加温器４で加温するにあたり、ボイラー５が必要となる。このボイラー燃料は、初動を除き、減圧脱水装置２で生産される低含水の有機性廃棄物３を使用する。これによって有機性廃棄物を脱水処理する際の燃料費は軽減されることになる。【選択図】    図１
2004154749.tif 000002
【特許請求の範囲】
【請求項１】
有機性廃棄物を脱水処理する過程で必要となる熱源燃料を、自己生成する低含水率の有機性廃棄物で供給する廃棄物処理装置。
【発明の詳細な説明】
【０００１】
【発明の属する技術分野】
本発明は、有機性廃棄物を脱水処理する過程で必要となる加温のためのボイラー燃料を、自らが処理した低含水率の廃棄物で供給する装置である。これにより加温ボイラーの燃料は不要となり、燃料効率が飛躍的に向上するとともに、有機性廃棄物も効率的に処理することができる。
【０００２】
【従来の技術】
有機性廃棄物の脱水処理において必要となる加温ボイラー燃料を、自らが処理した生成物によって供給する装置はなかった。
【０００３】
【発明が解決しようとする課題】
有機性廃棄物に脱水処理を行う際、加温することが必要である。しかしその熱源には燃料が多く必要となる。この負担によって有機性廃棄物の無害化処理は高コストになる。本発明はこの課題を解決するものである。
【０００４】
【課題を解決するための手段】
高含水の有機性廃棄物１を減圧脱水装置２に搬入する。ここで減圧Ａを行えば脱水Ｂされる。この脱水効率を上げるために加温するのが一般的である。加温器４で加温するにあたり、ボイラー５が必要となる。このボイラー燃料は、初動を除き、減圧脱水装置２で生産される低含水の有機性廃棄物３を使用する。これによって廃棄物を脱水処理する際の燃料費は軽減されることになる。
【０００５】
【発明の実施の形態】
高含水の有機性廃棄物１を減圧脱水装置２に搬入する。初動はボイラー燃料に灯油・重油などを使用し加温器４を加温する。次いで減圧Ａを行う。これにより廃棄物１の水分Ｂは外部へ排出される。この過程により低含水の有機性廃棄物３が生成される。低含水有機性廃棄物は、爾後、ボイラー燃料として供給される。
【０００６】
【発明の効果】
有機性廃棄物処理に要する熱源燃料が極めて減少し、廃棄物処理に要する費用を削減、効率化することができるとともに、廃棄物量が削減される。
【図面の簡単な説明】
【図１】本発明の概念図である。
【符号の説明】
１    高含水率の有機性廃棄物
２    減圧脱水装置
３    低含水率の有機性廃棄物
４    加温器
５    ボイラー
Ａ    減圧
Ｂ    脱水
【図１】
2004154749.tif 000003
(57)【要約】【課題】一般に数本からなる放電管をグローブで覆った形状の電球形蛍光ランプのグローブは球形状となっており、机等の平らな面に置いた場合不安定なため転がって落下し破損する可能性がある。特に電球形蛍光ランプの交換時は、高所での作業が発生するため照明器具から取り外した電球形蛍光ランプを一時安定した状態で置いておく場合がある。【解決手段】放電管をグローブで覆った形状の電球形蛍光ランプのグローブ表面の一部ないし複数部に平面部または凹面部を設ける。【選択図】  図１
2004288410.tif 000002
【特許請求の範囲】
【請求項１】
放電管をグローブで覆った形状の電球形蛍光ランプにおいて、グローブ表面の一部に一または複数個の平面部または凹面部を設けたことを特徴とする電球形蛍光ランプ。
【発明の詳細な説明】
【０００１】
【発明の属する技術分野】
本発明は、放電管をグローブで覆った形状の電球形蛍光ランプの構造に関する。
【０００２】
【従来の技術】
一般に数本からなる放電管をグローブで覆った形状の電球形蛍光ランプのグローブは、形状を一般電球に近付けるために球形状となっている。このため、電球形蛍光ランプを机等の平らな面に置いた場合、不安定なため転がって落下し破損する可能性がある。特に電球形蛍光ランプの交換時は、高所での作業が発生するため照明器具に取り付け、あるいは取り外した電球形蛍光ランプを一時安定した状態で置いておく場合がある。
【０００３】
【課題を解決するための手段】
本発明に係る数本からなる放電管をグローブで覆った形状の電球形蛍光ランプの構造は、グローブ表面の一部ないし複数部に平面部または凹面部を設ける。これにより、電球形蛍光ランプを平らな面に置いた場合、グローブ表面に設けた平面部または凹面部により安定して静止状態を保持できる。
【０００４】
【発明の実施の形態】
本発明に係る数本からなる放電管をグローブで覆った形状の電球形蛍光ランプにおける構造の実施形態につき、その実施例を挙げて、添付図面を参照しながら以下詳細に説明する。図１は、グローブ側面の一部分に平面部を設けた電球形蛍光ランプの一例図である。図１において、参照符号１はグローブ、２はグローブ平面部、３は回路内蔵ハウジングソケット、４は口金である。図１に示すような電球形蛍光ランプは、グローブに設けた平面部を下にして置くことにより、安定して静止状態を保持することができ、転がることを防止できる。
図２は、グローブ側面の一部分に楕円形状の平面部を設けた電球形蛍光ランプの一例図である。グローブ表面に設ける平面部または凹面部は多角形状でもよい。
図３は、グローブ側面の一部分に平面部を設けた電球形蛍光ランプの安定静止状態の一例図である。図３において、参照符号５は、平面台である。グローブ側面の一部分に設けた平面部を下にして平面台に置くことにより、転がり防止を実現できる。
図４は、グローブ側面に楕円形状の平面部を複数設けた電球形蛍光ランプの一例図である。
図４において、参照符号６、７、８は、それそれ複数のグローブ平面部である。
【０００５】
【発明の効果】
前述した実施例から明らかなように、本発明に係るグローブ側面の一部分に平面部または凹面部を設けた電球形蛍光ランプの構造にすることで、電球形蛍光ランプを照明器具に取り付ける作業前、および照明器具から取り外す作業後等の電球形蛍光ランプを一時安定して置いておく場合に、転がって破損することを防止できる。
【図面の簡単な説明】
【図１】グローブ平面部を設けた電球形蛍光ランプの側面図の一例図である。
【図２】グローブ平面部を設けた電球形蛍光ランプの正面図の一例図である。
【図３】グローブ平面部を設けた電球形蛍光ランプの安定静止状態の一例図である。
【図４】複数のグローブ平面部を設けた電球形蛍光ランプの一例図である。
【符号の説明】
１・・・グローブ
２・・・グローブ平面部
３・・・回路内蔵ハウジングソケット
４・・・口金
５・・・平面台
６・・・グローブ平面部
７・・・グローブ平面部
８・・・グローブ平面部。
【図１】
2004288410.tif 000003
【図２】
2004288410.tif 000004
【図３】
2004288410.tif 000005
【図４】
2004288410.tif 000006
(57)【要約】【課題】一度挿入したピンの引っ張り強度を向上させ、ランプを口金から取り出す際にピンが抜けてしまうことを防止する蛍光ランプ用口金を提供する。【解決手段】図１，２のように、口金ピンのピン挿入部に凸形状部３を、蛍光ランプ口金のピン挿入孔に口金ピン挿入部の凸形状部３に勘合する凹形状部６をそれぞれ設け、口金ピン挿入部の凸形状部３をピン挿入孔凹形状部６に沿って挿入し、ピンを回転させることにより、ピンの引っ張り強度を向上させランプを口金から取り出す際にピンが抜けてしまうことを防止する。【選択図】  図１
2004288408.tif 000002
【特許請求の範囲】
【請求項１】
蛍光ランプに使用するピンを圧入する構造の口金において、口金ピン挿入孔の一部に凸部あるいは凹部を設けた口金シェルと、口金ピン挿入部の一部に凹部あるいは凸部を設けた口金ピンとを勘合させた構造を特徴とする蛍光ランプ用口金。
【発明の詳細な説明】
【０００１】
【発明の属する利用分野】
本発明は、蛍光ランプに用いられる口金に関する。
【０００２】
【従来の技術】
ピンを圧入する構造の蛍光ランプ用口金は、円筒状の口金ピン挿入孔を有する口金シェルに円筒状の挿入部を有する口金ピンを圧入する構造となっている。
【０００３】
【発明が解決しようとする課題】
この口金ピン挿入部と口金のピン挿入孔との接触面では、お互い保持するものが何も無く、摩擦力のみで口金ピンを固定している。従って口金ピンを引き抜こうとした場合、ピン長手方向に大きな力をかければピンが抜けてしまう問題があった。
【０００４】
本発明が解決しようとする課題は、ピンを圧入する構造の蛍光ランプ用口金で一度挿入したピンの引っ張り強度を向上させ、ランプを照明器具から取り出す際にピンが抜けてしまうことを防止するためのものである。
【０００５】
【課題を解決するための手段】
本発明の蛍光ランプ口金は、口金ピンを挿入する挿入孔の接触面に凸形状または凹形状を設け、そこに挿入する口金ピンの挿入部の形状も挿入孔に勘合する凹または凸形状を有した口金ピンを用い、挿入孔へピンを挿入させる時は挿入孔とピン挿入部との凸凹形状に沿ってピンを挿入した後、ピンを回転させることにより、ピン及び口金の凸凹部を引っ掛け、ピンの引っ張り強度を向上させる。
【０００６】
【発明の実施の形態】
以下、本発明の実施例を、図を用いて説明する。
図１（ａ）に本発明の１実施例である蛍光ランプ用口金のピン正面形状図を示し、図１（ｂ）にピン側面形状図を示す。口金ピン１のピン挿入部２には、ピン挿入部の凸部３が形成されている。なお、上記実施例ではピン挿入部の凸部が２箇所に設置してあるが、必ずしもこれに限定されるものではなく、複数箇所設置するものや、ネジ山状に設置するものでもよい。
【０００７】
図２（ａ）に本発明の１実施例である蛍光ランプ用口金のピン挿入部分を側面から見た図を示し、図２（ｂ）に蛍光ランプ用口金のピン挿入部分を上から見た図を示す。口金ピン１のピン挿入部２は、口金シェル４の口金ピン挿入孔５に挿入するが、この時ピン挿入部の凸部３はピン挿入孔の凹部６に沿って挿入させる。また、挿入後ピンを回転させることにより、ピン挿入部の凸部３はピン挿入孔の凹部６に沿って円周上に回転することで引っ掛かりが得られ、ピンの引っ張り強度を向上することができる。
【０００８】
【発明の効果】
本発明によれば、口金ピン挿入部の一部及び口金ピン挿入孔の一部に、勘合する凸部または凹部を設けることにより、一度挿入したピンの引っ張り強度を向上させ、ランプを口金から取り出す際にピンが抜けてしまうことを防止することができる。
【図面の簡単な説明】
【図１】本発明の一実施例である蛍光ランプ口金の口金ピン外観図。
【図２】本発明の一実施例である蛍光ランプ口金のピン挿入部。
【符号の説明】
１・・・・口金ピン、２・・・・ピン挿入部、３・・・・ピン挿入部の凸部、４・・・・・口金シェル、５・・・・・口金ピン挿入孔、６・・・・ピン挿入孔の凹部。
【図１】
2004288408.tif 000003
【図２】
2004288408.tif 000004